(57)【要約】    【課題】  従来の加湿器である噴霧器の噴霧方法は本体ケーシングの上方から単なる水を超音波発振させて微粒子にして噴霧させているものが多く、加湿効果のみしか有していないものであり、その為、近年では水そのものに手を加えて身体や環境に有効な水を作る研究が進んでいる。    【解決手段】  本体ケーシング１に張設した窓部１ａと、照明手段２と、超音波発振手段３と、液体流入手段４と、液体タンク５と、液体タンクの前方を仕切る仕切板６と、空気流入孔６ａと、ファン７と、微粒子放出部８と、微粒子流通路９と、超音波発振手段に被せた微粒子選択カップ１０とを備えた照明付き噴霧器と、天然水を逆浸透膜フィルターを通過させて純水にし、純水に光量子エネルギーを照射した超低分子化純水とを用いて、超低分子化純水を照明付き噴霧器を作動させて超低分子化純水を雰囲気中に噴霧させる。    【選択図】  図１
2005342619.tif 000002
【特許請求の範囲】
【請求項１】
本体ケーシングと、該本体ケーシングの前面の略中央にデザイン化した透明部材を張設した窓部と、該窓部の上方の本体ケーシングの内側に設けた照明手段と、前記窓部の下方の本体ケーシングの内側に設けた超音波発振手段と、該超音波発振手段に前記液体を適量宛流入させるための液体流入手段と、該液体流入手段に液体を供給するために挿脱可能な液体タンクと、該液体タンクの前方を仕切る仕切板と、該仕切板に穿設した雰囲気中の空気を取り入れる空気流入孔と、該空気流入孔に雰囲気を送風するファンと、前記超音波発振手段で液体を霧化した微粒子と雰囲気とを混流させて前記本体ケーシングの上方又は前方から雰囲気中に放出するために開口させた微粒子放出部と、該微粒子放出部と前記超音波発振手段との間と前記窓部と前記仕切板との間のスペースである霧化した微粒子が流通する微粒子流通路と、前記超音波発振手段に被せ霧化した微粒子を放出させる前面と底面を夫々開口させた略半割れ截台円錐状の前面と両側の側面に夫々凹部を形成させた微粒子放出開口部を設けると共に天板部の内側には微粒子を衝突させる微粒子受板を装着した微粒子選択カップとを備えた照明付き噴霧器と、天然水を０．００００５〜０．０００２ミクロンの逆浸透膜フィルターを通過させて純水にし、該純水に光量子エネルギーを照射して製造した超低分子化純水とを用いて、前記液体タンクに前記超低分子化純水を充填し、該超低分子化純水を液体流入手段に定量宛供給できるように前記液体タンクを挿入すると共に、前記照明付き噴霧器を作動させて超低分子化純水を雰囲気中に噴霧させることを特徴とする照明付き噴霧器の噴霧方法。
【発明の詳細な説明】
【技術分野】
【０００１】
本発明は雰囲気中に超音波発振手段によって超低分子化純水を微粒子にして噴霧する照明付きの噴霧器の噴霧方法に関するものであり、更に詳細には、身体や環境に有効な超低分子化純水を雰囲気中に噴霧させると共に、本体ケーシングの内部の超音波発振手段から立ち上る超低分子化純水の微粒子を前面から目視させ、更に、夜間でも目視可能に照明手段により照射させる照明付きの噴霧器の噴霧方法に関するものである。
【背景技術】
【０００２】
従来、一般住居やオフィス等で空気が乾燥した時には加湿器が用いられており、一般的には超音波発振装置を内装して、水道水等を液体タンクに入れて噴霧させているものである。
【０００３】
然し乍ら、従来の加湿器である噴霧器の噴霧方法は本体ケーシングの上方から単なる水を超音波発振させて微粒子にして湯気のように噴霧させているものが多く、加湿効果のみしか有していないものであり、その為、近年では水そのものに手を加えて身体や環境に有効な水を作る研究が進んでいる。
【０００４】
例えば、身体や環境に有効な液体を使用するものとして、例えば、超音波振動水発生方法は、先ず、発振回路によって電気振動を発生させ、超高周波の電気振動は、超音波振動子に印加されて、超音波振動が発生させ、その後、上記超音波振動子の超音波振動は、振動拡大ホーンの先端部に伝達されながら振幅が拡大させ、上記振動拡大ホーンの先端部には、略逆円錐傾斜面を有する漏斗部の表面に沿って回転しながら供給量が制御された水を落下させ、振動拡大ホーンに落下した水は、振動拡大ホーンから直接エネルギーが与えられて振動する超音波振動水となるもの（特許文献１参照）や、新たに蘇生させた酸化・還元物質として、水酸化ドロマイトとアルミナが混合した水溶液となって反応器内にとどめ、水素原子は分子Ｈ２となって飛び出すものと、ＨｎＯとアルミニウムから放出された自由電子が還元力の大きな原動力となり、混合溶液をＨＲＭと名付け、これが約２４時間経過すると固体部分が沈殿し、上澄みの水をＨＲＷと名付け、それぞれ酸化還元材として活用するもの（特許文献２参照）等が開示されている。
【特許文献１】特開２０００−１４０７２８号公報
【特許文献２】特開２００３−３００７０１号公報
【発明の開示】
【発明が解決しようとする課題】
【０００５】
然し乍ら、超音波振動水発生方法は、先ず、発振回路によって電気振動を発生させ、超高周波の電気振動は、超音波振動子に印加されて、超音波振動が発生させ、その後、上記超音波振動子の超音波振動は、振動拡大ホーンの先端部に伝達されながら振幅が拡大させ、上記振動拡大ホーンの先端部には、略逆円錐傾斜面を有する漏斗部の表面に沿って回転しながら供給量が制御された水を落下させ、振動拡大ホーンに落下した水は、振動拡大ホーンから直接エネルギーが与えられて振動する超音波振動水となるものを噴霧させるものでは、水に予め超音波振動を付与させているもので微細化しているものではあるが、更に細かい超低分子には成らず更には不純物のない純水には成らないものである。
【０００６】
更に、新たに蘇生させた酸化・還元物質として、水酸化ドロマイトとアルミナが混合した水溶液となって反応器内にとどめ、水素原子は分子Ｈ２となって飛び出すものと、ＨｎＯとアルミニウムから放出された自由電子が還元力の大きな原動力となり、混合溶液をＨＲＭと名付け、これが約２４時間経過すると固体部分が沈殿し、上澄みの水をＨＲＷと名付け、それぞれ酸化還元材として活用するものでも、前述と同様に超低分子には成らず更には不純物のない純水には成らないものである。
【課題を解決するための手段】
【０００７】
本発明の照明付き噴霧器の噴霧方法は、前記課題に鑑み、鋭意研鑽の結果、本体ケーシングと、本体ケーシングに透明部材を張設した窓部と、窓部の上方に設けた照明手段と、窓部の下方に設けた超音波発振手段と、超音波発振手段に液体を流入させるための液体流入手段と、液体流入手段に液体を供給するための液体タンクと、液体タンクの前方を仕切る仕切板と、仕切板に穿設した空気流入孔と、空気流入孔に送風するファンと、超音波発振手段で液体を霧化した微粒子と雰囲気とを混流させて雰囲気中に放出するための微粒子放出部と、微粒子放出部と超音波発振手段との間と窓部と仕切板との間のスペースである微粒子流通路と、超音波発振手段に被せた前面と底面を開口させた略半割れ截台円錐状の前面と両側の側面に微粒子放出開口部を設けると共に天板部の内側に微粒子受板を装着した微粒子選択カップとを備えた照明付き噴霧器と、天然水を０．００００５〜０．０００２ミクロンの逆浸透膜フィルターを通過させて純水にし、純水に光量子エネルギーを照射して製造した超低分子化純水とを用いて、液体タンクに超低分子化純水を充填し、超低分子化純水を液体流入手段に定量宛供給できるように液体タンクを挿入すると共に、照明付き噴霧器を作動させて超低分子化純水を雰囲気中に噴霧させるものである。
【発明の効果】
【０００８】
本発明の照明付き噴霧器の噴霧方法は、超低分子化純水を用いることと、本体ケーシングの前面にデザイン化した透明部材を張設した窓部を備え、窓部の上方の本体ケーシングの内側に照明手段を設け、窓部の下方の本体ケーシングの内側に超音波発振手段を設けた照明付き噴霧器を用いることによって、照明手段で窓部の上方から超音波発振手段を照明できると共に、仕切板に穿設した空気流入孔から流入する空気と超音波発振手段を発振させて超低分子化純水を霧化させて立ち上る微粒子を混流させ恰も湧き上がる雲海のように成り、それを本体ケーシングの前面の窓部から目視することができ、更に、照明手段をカラー照明とすることでことができ、幻想的な世界に浸れるものであり、更には、超低分子化純水は不純物を含んでおらず、完全な水分子のみであり安全もので、更に、光量子エネルギーを照射して光量子テクノロジーにより高活性化されており、超低分子化純水は超微粒子のため肌細胞や髪の毛等への浸透力が高く、又、消臭効果を有するものであり、人体や環境に有効な影響を与えるもので、画期的で実用性の高い発明である。
【発明を実施するための最良の形態】
【０００９】
本発明は雰囲気中に超音波発振手段によって超低分子化純水を微粒子にして噴霧する照明付きの噴霧器の噴霧方法に関するものであり、更に詳細には、身体や環境に有効な超低分子化純水を雰囲気中に噴霧させると共に、本体ケーシングの内部の超音波発振手段から立ち上る超低分子化純水の微粒子を前面から目視させ、更に、夜間でも目視可能に照明手段により照射させる照明付きの噴霧器の噴霧方法に関するものであり、本体ケーシング１と、該本体ケーシング１の前面の略中央にデザイン化した透明部材を張設した窓部１ａと、該窓部１ａの上方の本体ケーシング１の内側に設けた照明手段２と、前記窓部１ａの下方の本体ケーシング１の内側に設けた超音波発振手段３と、該超音波発振手段３に前記液体を適量宛流入させるための液体流入手段４と、該液体流入手段４に液体を供給するために挿脱可能に挿入した液体タンク５と、該液体タンク５の前方を仕切る仕切板６と、該仕切板６に穿設した雰囲気中の空気を取り入れる空気流入孔６ａと、該空気流入孔６ａに雰囲気を送風するファン７と、前記超音波発振手段３で液体を霧化した微粒子と雰囲気とを混流させて前記本体ケーシング１の上方又は前方から雰囲気中に放出するために開口させた微粒子放出部８と、該微粒子放出部８と前記超音波発振手段３との間と前記窓部１ａと前記仕切板６との間のスペースである霧化した微粒子が流通する微粒子流通路９と、前記超音波発振手段３に被せ霧化した微粒子を放出させる前面と底面を夫々開口させた略半割れ截台円錐状の前面と両側の側面に夫々凹部を形成させた微粒子放出開口部１０ａを設けると共に天板部の内側には微粒子を衝突させる微粒子受板１０ｃを装着した微粒子選択カップ１０とを備えた照明付き噴霧器と、天然水を０．００００５〜０．０００２ミクロンの逆浸透膜フィルターを通過させて純水にし、該純水に光量子エネルギーを照射して製造した超低分子化純水とを用いて、前記液体タンク５に前記超低分子化純水を充填し、該超低分子化純水を液体流入手段３に定量宛供給できるように液体タンク５を挿入すると共に、前記照明付き噴霧器を作動させて超低分子化純水を雰囲気中に噴霧させるものである。
【実施例】
【００１０】
以下、本発明の照明付き噴霧器の噴霧方法を実施例の図面を用いて詳細に説明すると、図１は本発明の照明付き噴霧器の噴霧方法の実施例に用いる照明付き噴霧器の正面図であり、図２は本発明の照明付き噴霧器の噴霧方法の実施例に用いる照明付き噴霧器の平面図であり、図３は本発明の照明付き噴霧器の噴霧方法の実施例に用いる照明付き噴霧器の内部の説明をする断面説明図であり、図４は本発明の照明付き噴霧器の噴霧方法の実施例に用いる照明付き噴霧器の仕切板の説明をする正面図であり、図５は本発明の照明付き噴霧器の噴霧方法の実施例に用いる照明付き噴霧器の微粒子選択カップの側面図であり、図６は本発明の照明付き噴霧器の噴霧方法の実施例に用いる照明付き噴霧器の微粒子選択カップの正面図である。
【００１１】
即ち、本発明の照明付き噴霧器の噴霧方法は、超低分子化純水と照明付き噴霧器とを用いて、超低分子化純水を霧化させて微粒子を雰囲気中に噴霧させるものであり、超低分子化純水は水道水、井戸水、清流の水等の天然水を０．００００５〜０．０００２ミクロン程度の逆浸透膜フィルターに圧力をかけて通過させることにより、分子の大きい各種金属やダイオキシン、トリハロメタン、バクテリア、ウイルス、塩素等の不純物は完全に濾過され純水を得れるものであり、得られた純水に光量子エネルギーを長時間照射して超低分子化純水にするものである。
【００１２】
そして、照明付き噴霧器の本体ケーシング１は、図１乃至図３に図示する如く、前面は下方に拡がる傾斜面として後述する窓部１ａを張設させ、左右の側面は上方を若干巾狭とした傾斜面とし、底面と上面は略矩形状とし、全体的には山をイメージする形状で、プラスチック等で上ケーシングと下ケーシングとに成形して合着させているものあり、上面には後述する微粒子放出部８を開口させているものである。
【００１３】
次に、窓部１ａは本体ケーシング１の前面の略中央に張設したアクリル樹脂等の透明部材を貼設したものであり、実施例では富士山をイメージするように外方に湾曲させた略台形に形成しているものであるが、山形、半円形、半楕円形等の何かを連想するようにデザイン化しても構わないものである。
【００１４】
次いで、照明手段２は窓部１ａの上方の本体ケーシング１の内側に設けているもので、複数のランプ、ＬＥＤ等を配設して、白色、緑色、青色、赤色等のカラー発光させるものであり、後述するコントロール部を介して電源と電気的に接続させているもであり、つまり、照明手段２は窓部１ａ及び後述する微粒子流通路９を流通する雰囲気に乗せた液体が霧化した微粒子を照明するものである。
【００１５】
更に、超音波発振手段３は窓部１ａの下方の本体ケーシング１の内側に設けているもので、液体に超音波振動を与えることにより、液体を微粒子に霧化させるものであり、皿状の受け皿を備え、受け皿に流入してくる液体に下方から超音波振動子によって超音波振動を与えて、液体を微粒子に霧化させる周知のもので、超音波発振手段３は後述するコントロール部を介して電源（図示しない）と電気的に接続させているものである。
【００１６】
更には、液体流入手段４は超音波発振手段３の受け皿に液体を適量宛流入させるもので、後述する液体タンク５の流出口の下方の液体受け皿と溝状の流通路で接続されているものであり、液体タンク５の流出させる液体を適量宛超音波発振手段３に流入させるものである。
【００１７】
そして、液体タンク５は筒状のプラスチック等で形成した液体を充填しており、液体タンク５の口部には充填している液体を一定量宛流出させる流量弁５ａを備えているもので、霧化する液体を補充するために本体ケーシング１の上ケーシングを取り外して液体流入手段４に流量弁５ａを合致させて載置し、上から上ケーシングを被せることで挿入しているものであり、液体流入手段４に液体を適量宛供給するものである。
【００１８】
更には、仕切板６は前記液体タンク５の前方と後述する微粒子流通路９とを仕切るもので、前記窓部１ａと対称させて湾曲させて立設させており、両側に形成した縁部を窓部１ａの縁部にビス等で固定しているもので、仕切板６の前方と窓部１ａの内側との間を霧化した微粒子が流通するものである。
【００１９】
更に、空気流入孔６ａは雰囲気中の空気を取り入れ霧化した微粒子と混流させて旋回流等を創作させるもので、実施例では図４に図示する如く仕切板６の上方に長穴を穿設し、両側辺に夫々複数の小孔を穿設したものであるが、当該照明付き噴霧器の大きさや形状、或いは、後述する微粒子流通路９の大きさや形状や、創作する流れによって穿設する空気流入孔６ａの位置、サイズは微妙に変更するものである。
【００２０】
次に、ファン７は空気流入孔６ａに雰囲気中の空気を送るもので、本体ケーシング１の上方辺の裏側にモーター（図示しない）を装着し、該モーターの回転軸に固定することで回転させ、後述する微粒子流通路９に空気流入孔６ａから空気を送風するものであり、モーターは後述するコントロール部１１を介して電源と電気的に接続させているものである。
【００２１】
次いで、微粒子放出部８に超音波発振手段３で液体を霧化させた微粒子を空気に乗せて後述する微粒子流通路９から雰囲気中に放出するために開口させているもので、実施例では本体ケーシング１の上方に備えているものであるが、全体のデザインによっては前方又は斜め前方でも構わないものである。
【００２２】
次に、微粒子流通路９は微粒子放出部８と超音波発振手段３との間と、窓部１ａと仕切板６との間のスペースであり、下方の超音波発振手段３によって液体を霧化させた微粒子が立ち上るスペースと成ると共に、霧化させた微粒子はファン７によって空気流入孔６ａから送られてくる空気と混流して、空気の流れに乗って微粒子放出部８に送られる通路となるものである。
【００２３】
そして、微粒子選択カップ１０は超音波発振手段３で液体を霧化した微粒子を選択するもので、つまり、超音波発振手段３で霧化させた微粒子は一定の大きさの粒子ではなく、水滴程度のものも有れば、大粒のものも、小粒のものも、微粒子も混在するもので、水滴や大粒のものは重力によって直ぐに落下するものであるが、小粒のものは有る程度上昇するものであるが、微粒子放出開口部１０ａを開口させた微粒子選択カップ１０を超音波発振手段３に被せることにより、微粒子のものだけ微粒子放出開口部１０ａから上方に立ち昇り、小粒のものは微粒子選択カップ１０の内側面に衝突して付着して、付着した小粒のものはやがて水滴と成って超音波発振手段３や液体流入手段４に戻されるものである。
【００２４】
そして、微粒子選択カップ１０は前面と底面を夫々開口させた略半割れ截台円錐状に形成し、つまり、両側の側面と、夫々の側面と断面半円状に接続させた後面と、上方を覆う天板部を接続させて一体に形成しているもので、前面と両側の側面に夫々側面微粒子放出凹部をＣ字状に切り欠いて微粒子放出開口部１０ａを形成しているもので、底面の外周には若干巾の略Ｃ字状に載置用鍔部１０ｂを形成し、天板部の内側には超音波発振手段３で液体を霧化した微粒子を衝突させるステンレス等の金属で円板状に形成した微粒子受板１０ｃを装着したものである。
【００２５】
次に、照明付き噴霧器の電源は商業電源から取るものであるが、小型のものはバッテリーを内装して電源としても構わないもので、本体ケーシング１の正面の下方に備えたコントロール部１１にはオンオフスイッチ、超音波発振手段３及びファン７の強弱のコントローラー、照明手段２の点灯スイッチ等を備えており、夫々と電気的に接続させているものである。
【００２６】
本発明の照明付き噴霧器の噴霧方法の液体タンク５に充填している液体は超低分子化純水であることから、照明付き噴霧器から噴霧される微粒子は不純物を含まない純水であることから安全であり、更には、光量子エネルギーの照射により水分子同士の結合、つまり、クラスターが超低分子にされており、超音波発生手段では効率良く霧化されて雰囲気中に噴霧されるもので、噴霧された超微粒子は雰囲気中に紛れサラッとした乾燥感で加湿が得るれるともに、人体の表面から容易に浸透し肌や髪の毛に潤いを与え、更には、防臭効果も得られるものである。
【産業上の利用可能性】
【００２７】
従って、本発明は、照明を付けた噴霧器と超低分子化純水とを用いることによって、幻想的な雰囲気を醸し出せるナイトライトとして使用できると共に、噴霧器本来の加湿ができ、更には、人体や環境に有効な効果を得ることを可能とする照明付き噴霧器の噴霧方法を提供するものである。
【図面の簡単な説明】
【００２８】
【図１】図１は本発明の照明付き噴霧器の噴霧方法の実施例に用いる照明付き噴霧器の正面図である。
【図２】図２は本発明の照明付き噴霧器の噴霧方法の実施例に用いる照明付き噴霧器の平面図である。
【図３】図３は本発明の照明付き噴霧器の噴霧方法の実施例に用いる照明付き噴霧器の内部の説明をする断面説明図である。
【図４】図４は本発明の照明付き噴霧器の噴霧方法の実施例に用いる照明付き噴霧器の仕切板の説明をする正面図である。
【図５】図５は本発明の照明付き噴霧器の噴霧方法の実施例に用いる照明付き噴霧器の微粒子選択カップの側面図である。
【図６】図６は本発明の照明付き噴霧器の噴霧方法の実施例に用いる照明付き噴霧器の微粒子選択カップの正面図である。
【符号の説明】
【００２９】
１      本体ケーシング
１ａ    窓部
２      照明手段
３      超音波発振手段
４      液体流入手段
５      液体タンク
５ａ    流量弁
６      仕切板
６ａ    空気流入孔
７      ファン
８      微粒子放出部
９      微粒子流通路
１０    微粒子選択カップ
１０ａ  微粒子放出開口部
１０ｂ  載置用鍔部
１０ｃ  微粒子受板
１１    コントロール部
【図１】
2005342619.tif 000003
【図２】
2005342619.tif 000004
【図３】
2005342619.tif 000005
【図４】
2005342619.tif 000006
【図５】
2005342619.tif 000007
【図６】
2005342619.tif 000008